Podtech/llm-jp-corpus-v4-ja_patent huggingface dataset:
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
脂肪肝、非アルコール性脂肪肝疾患、非アルコール性脂肪性肝炎、肝線維症を伴う非アルコール性脂肪性肝炎、肝硬変を伴う非アルコール性脂肪性肝炎、または肝硬変および肝細胞癌を伴う非アルコール性脂肪性肝炎を処置するための、ガラクト−ラムノガラクツロネートを有効成分として含有する医薬組成物。
【請求項２】
薬学的に許容される担体中にガラクト−ラムノガラクツロネートを含有する、請求項１に記載の組成物。
【請求項３】
他の処置剤をさらに含有するか、または有効量の他の処置剤と併せて投与される、請求項１または２に記載の組成物。
【請求項４】
非経口または経腸投与され、非アルコール性脂肪肝疾患または非アルコール性脂肪性肝炎評点システムの重篤度の少なくとも１ポイントの低下、非アルコール性脂肪性肝炎活動性の血清マーカーレベルの低下、非アルコール性脂肪性肝炎疾患活動性の低下、または非アルコール性脂肪性肝炎の医学的結果の軽減、の少なくとも１つを達成する、請求項１〜３のいずれかに記載の組成物。
【請求項５】
肝臓における脂肪の蓄積の少なくとも１０％の減少；
肝臓における脂肪を含む肝細胞の割合において評価される、肝臓における脂肪の蓄積の減少；
肝細胞風船化の少なくとも１０％の軽減；
肝臓標本の門脈、中心および小葉域における好中球およびリンパ球の浸潤の少なくとも１０％の軽減；
肝臓におけるコラーゲンの蓄積の少なくとも５％の減少；
肝組織または血清中のガレクチン−３の少なくとも１０％の減少、
の１つを達成する、請求項４に記載の組成物。
【請求項６】
非アルコール性脂肪性肝炎活動性の血清マーカーが、トランスアミナーゼ、還元型もしくは酸化型コエンザイムＱ、またはそれらの組み合わせからなる群から選択される、請求項４に記載の組成物。
【請求項７】
肝線維症または肝硬変を伴う非アルコール性脂肪性肝炎の医学的結果の軽減が、門脈圧亢進、肝タンパク質合成能低下、高ビリルビン血症、または脳障害の軽減を包含する、請求項４〜６のいずれかに記載の組成物。
【請求項８】
ガラクト−ラムノガラクツロネートが、α−１，２−結合ラムノースおよびα−１，４−結合ＧａｌＡ残基の交互オリゴマーである分岐へテロポリマーを結合する、１，４−結合ガラクツロン酸（ＧａｌＡ）およびメチルガラクツロネート（ＭｅＧａｌＡ）残基の主鎖を含み、前記ラムノース残基は１，４−β−Ｄ−ガラクトース残基、１，５−α−Ｌ−アラビノース残基またはそれらの組み合わせのオリゴマーである主な分岐を有する、ガラクトアラビノ−ラムノガラクツロネートである、請求項１〜７のいずれかに記載の組成物。
【請求項９】
ガラクト−ラムノガラクツロネートが、α−１，２−結合ラムノースおよびα−１，４−結合ＧａｌＡ残基の交互オリゴマーである分岐へテロポリマーを結合する、１，４−結合ガラクツロン酸（ＧａｌＡ）およびメチルガラクツロネート（ＭｅＧａｌＡ）残基の主鎖を含み、前記ラムノース残基は１，４−β−Ｄ−ガラクトース残基のオリゴマーである主な分岐を有する、請求項１〜７のいずれかに記載の組成物。
【請求項１０】
１，４−β−Ｄ−ガラクトース残基と１，５−α−Ｌ−アラビノース残基が、２：１または３：１の比で存在し；および／または
１，４−β−Ｄ−ガラクトース残基、１，５−α−Ｌ−アラビノース残基またはそれらの組み合わせが、炭水化物の総モルの少なくとも１０モル％の量で存在する、
請求項８に記載の組成物。
【請求項１１】
ガラクト−ラムノガラクツロネートが、５〜５５ｋＤａの範囲、２〜８０ｋＤａの範囲、または２０〜７０ｋＤａの範囲の平均分子量を有する、請求項１〜１０のいずれかに記載の組成物。
【請求項１２】
他の処置剤が、システアミンもしくはその薬学的に許容される塩、シスタミンもしくはその薬学的に許容される塩、抗酸化化合物、レシチン、ビタミンＢ複合体、胆汁塩製剤、カンナビノイド−１（ＣＢ１）受容体アンタゴニスト、カンナビノイド−１（ＣＢ１）受容体インバースアゴニスト、ペルオキシソーム増殖剤活性化受容体活性調節剤、ベンゾチアゼピンもしくはベンゾチエピン化合物、タンパク質チロシンホスファターゼＰＴＰＲＵを阻害するＲＮＡアンチセンス構築物、ヘテロ原子結合置換ピペリジンおよびその誘導体、アザシクロペンタン誘導体、アディポネクチン分泌促進または誘導活性を有するアシルアミド化合物、第四級アンモニウム化合物、グラチラマーアセテート、ペントラキシンタンパク質、ＨＭＧ−ＣｏＡレダクターゼ阻害剤、Ｎ−アセチルシステイン、イソフラボン化合物、マクロライド抗生物質、ガレクチン阻害剤、抗体、またはそれらの組み合わせ、の１つである、請求項３に記載の組成物。
【請求項１３】
抗酸化化合物が、水溶性ビタミンＥ製剤、カロテノイド混合物、セレン、グリチルリチン、シサンドラ、アスコルビン酸、Ｌ−グルタチオン、シリマリン、リポ酸またはｄ−α−トコフェロール、またはそれらの組み合わせを含み；
胆汁塩製剤が、ウルソデオキシコール酸、ケノデオキシコール酸または他の天然もしくは合成胆汁酸または胆汁酸塩、またはそれらの組み合わせを含み；
ペントラキシンタンパク質が、組換えペントラキシン−２であり；
ＨＭＧ−ＣｏＡレダクターゼ阻害剤が、アトルバスタチン、シンバスタチンまたはそれらの組み合わせを含み；
ガレクチン阻害剤が、小有機ガレクチン阻害剤、モノクローナル抗体、ＲＮＡ阻害剤、小結合ペプチド、タンパク質阻害剤、またはそれらの組み合わせを含み；または
抗体が、抗リシルオキシダーゼ抗体、または抗結合組織増殖因子抗体である、
請求項１２に記載の組成物。
【請求項１４】
ガラクト−ラムノガラクツロネートが、キシロース、グルコース、フコース残基またはそれらの組み合わせをさらに含む、請求項１〜１３のいずれかに記載の組成物。
【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
脳虚血後の炎症損傷または再灌流障害の影響を予防、治療または低減するための、免疫グロブリンを含む組成物およびＣ１−インヒビター（Ｃ１−ＩＮＨ）を含む組成物の組合せ。
【請求項２】
免疫グロブリンが血漿由来の免疫グロブリンである、請求項１に記載の組合せ。
【請求項３】
免疫グロブリンがヒト血漿由来の免疫グロブリンである、請求項２に記載の組合せ。
【請求項４】
ヒト由来の免疫グロブリンがヒト血漿由来の静脈内免疫グロブリンＧ（ＩＶＩＧ）である、請求項３に記載の組合せ。
【請求項５】
脳虚血後にＣ１−ＩＮＨを単独で投与したときと比較して、ＩＶＩＧとＣ１−ＩＮＨとの組合せが梗塞体積において少なくとも約５０％の低減を生じるような十分な濃度でＩＶＩＧおよびＣ１−ＩＮＨを投与する、請求項４に記載の組合せ。
【請求項６】
ＩＶＩＧとＣ１−ＩＮＨとの組合せが、脳虚血後に最適濃度のＩＶＩＧを単独で投与したときに観察される低減と少なくともほぼ同等の梗塞堆積の低減を生じるような十分な濃度でＩＶＩＧおよびＣ１−ＩＮＨを投与する、請求項４に記載の組合せ。
【請求項７】
Ｃ１−ＩＮＨを約０．０１Ｕ／ｋｇ体重から２０００Ｕ／ｋｇ体重までの範囲の濃度で投与する、請求項４に記載の組合せ。
【請求項８】
ＩＶＩＧを約０．０１ｇ／ｋｇ体重から３．０ｇ／ｋｇ体重の範囲の濃度で投与する、請求項４に記載の組合せ。
【請求項９】
治療がない場合の梗塞体積と比較して、組合せが梗塞体積における少なくとも４０％の低減を生じるような十分な濃度で免疫グロブリンおよびＣ１−ＩＮＨを投与する、請求項１に記載の組合せ。
【請求項１０】
免疫グロブリンおよびＣ１−ＩＮＨを同時に投与する、請求項１に記載の組合せ。
【請求項１１】
免疫グロブリンを最初に投与するか、またはＣ１−ＩＮＨを最初に投与し、免疫グロブリンおよびＣ１−ＩＮＨを順に投与する、請求項１に記載の組合せ。
【請求項１２】
Ｃ１−ＩＮＨを免疫グロブリンの少なくとも１０分後に投与する、請求項１１に記載の組合せ。
【請求項１３】
免疫グロブリンをＣ１−ＩＮＨの少なくとも１０分後に投与する、請求項１１に記載の組合せ。
【請求項１４】
免疫グロブリンおよびＣ１−ＩＮＨの組合せを脳虚血の約６時間後までに投与する、請求項１に記載の組合せ。
【請求項１５】
免疫グロブリンおよびＣ１−ＩＮＨを静脈内に投与する、請求項１に記載の組合せ。
【請求項１６】
免疫グロブリンおよびＣ１−ＩＮＨを、水性または凍結乾燥形態で提供する、請求項１に記載の組合せ。
【請求項１７】
凍結乾燥された治療成分を、薬学的に許容される担体中に溶解することによって、投与前にそれらを再構成する、請求項１６に記載の組合せ。
【請求項１８】
薬学的に許容される担体が滅菌注射用水である、請求項１７に記載の組合せ。
【請求項１９】
脳虚血の治療のためのキットであって、
（ａ）免疫グロブリン；
（ｂ）Ｃ１−ＩＮＨ；および
（ｃ）場合により、少なくとも１つのさらなる治療活性化合物または薬物
を含む、キット。
【請求項２０】
少なくとも１つのさらなる治療活性化合物または薬物が、ビタミン、抗生物質、抗ウイルス薬剤、または脳内の血餅形成を除去または阻害することを目的とする化合物である、請求項１９に記載のキット。
【請求項２１】
血餅形成を除去または阻害することを目的とする化合物がアスピリン、クロピドグレルまたはジピリダモールである、請求項２０に記載のキット。
【請求項２２】
免疫グロブリンがＩＶＩＧである、請求項１９のキット。
【請求項２３】
免疫グロブリンおよびＣ１−ＩＮＨを、水性または凍結乾燥形態で提供する、請求項１９のキット。
【請求項２４】
凍結乾燥された成分を、薬学的に許容される担体中に溶解することによって投与前にそれらを再構成する、請求項２３に記載のキット。
【請求項２５】
薬学的に許容される担体が滅菌注射用水である、請求項２４に記載のキット。
【請求項２６】
免疫グロブリンおよびＣ１−ＩＮＨを、単独での投与の最適濃度より低い濃度で投与する、請求項１に記載の組合せ。
【請求項２７】
免疫グロブリンとＣ１−ＩＮＨとの組合せ投与が、免疫グロブリンまたはＣ１−ＩＮＨのいずれかを単独で最適濃度で投与したときに観察される低減と少なくともほぼ同等の梗塞体積の低減または神経障害の低減を生じる、請求項２６に記載の組合せ。
【請求項２８】
免疫グロブリンおよびＣ１−ＩＮＨを、脳出血のリスクを低減する濃度で投与する、請求項２６に記載の組合せ。
【請求項２９】
免疫グロブリンおよびＣ１−ＩＮＨを、脳虚血の約１８時間後までに投与する、請求項１に記載の組合せ。
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
有効量のリファブチン、
有効量のクラリスロマイシン、および
有効量のクロファジミン
を含む組成物であって、
リファブチン、クラリスロマイシン、およびクロファジミンの有効量は、サイトカインまたはサイトカイン受容体を標的とすることによって自己免疫疾患に苦しんでいる対象の処置を可能とするのに十分である、該組成物。
【請求項２】
ダプトマイシン、クリンダマイシン、リファンピシン、エリスロマイシン、オレアンドマイシン、ロキシスロマイシン、アジスロマイシン、カナマイシン、ゲンタマイシン、トブラマイシン、ストレプトマイシン、ネオマイシン、パロモマイシン、エタンブトール、イソニアジド、ミノサイクリン、およびテトラサイクリンからなる群から選択される抗生物質をさらに含む、請求項１に記載の医薬組成物。
【請求項３】
該自己免疫疾患が中枢神経系の疾患である、請求項１に記載の医薬組成物。
【請求項４】
該自己免疫疾患が多発性硬化症である、請求項１に記載の医薬組成物。
【請求項５】
該自己免疫疾患が橋本甲状腺炎、メルカーソン・ローゼンタール症候群またはサルコイドーシスである、請求項１に記載の医薬組成物。
【請求項６】
サイトカインまたはサイトカイン受容体を標的とすることによって自己免疫疾患に苦しんでいる対象の処置を可能とする、請求項１に記載の医薬組成物。
【請求項７】
経口投与用に製剤化された請求項１に記載の医薬組成物。
【請求項８】
静脈内投与用に製剤化された請求項１に記載の医薬組成物。
【請求項９】
該クロファジミンが吸収促進剤中で分散される、請求項１に記載の医薬組成物。
【請求項１０】
該吸収促進剤がポリエチレングリコールを含む、請求項９に記載の組成物。
【請求項１１】
５-アミノサリチル酸、アザチオプリンまたはメトトレキサートのうちの１つまたはそれらの組み合わせから選ばれる抗炎症剤を更に含む、請求項１に記載の医薬組成物。
【請求項１２】
脱髄の低下が観察される、請求項４に記載の医薬組成物。
【請求項１３】
多発性硬化症に関連する１つ以上の症候の少なくとも寛解が観察され得る、請求項４に記載の医薬組成物。
【請求項１４】
該多発性硬化症に関連する１つ以上の症候が、１つ以上の肢における脱力および／または知覚麻痺；四肢のピリピリ感、および躯幹もしくは肢の周囲をバンドできつく締められたような感覚；片方もしくは両方の下肢の引きずりまたはコントロール不良から痙攣性または失調性麻痺；腱反射亢進；腹壁反射の消失；レルミット徴候；球後視神経炎または視神経炎；歩行不安定；脳幹症候（複視、めまい、嘔吐）；排尿障害；片麻痺；三叉神経痛；他の疼痛症候群；眼振および失調；小脳性失調；シャルコーの三徴候；複視；両側性核間性眼筋麻痺；顔面筋のミオキミアまたは麻痺；聴覚消失；耳鳴；無構造幻聴；めまいおよび嘔吐；一過性顔面感覚消失または三叉神経痛；膀胱機能障害；多幸感；うつ状態；認知症；背下部の鈍痛、疼痛；肢もしくは両下肢の鋭く、灼けつくような、あまり限局していない痛み、および帯状痛；神経障害の突然の発作；構音障害および失調；肢の発作性の痛みおよび感覚異常；閃光；発作性そう痒；ならびに／あるいは、強直性発作、下肢の伸展を伴って手、手首、および肘の屈曲(ジストニア)攣縮の形態をとることのうちの１つ以上から選択される、請求項１３に記載の医薬組成物。
【請求項１５】
１つ以上の症候の該寛解が、対象が苦しむ炎症性エピソード数を減らすこと、該対象において該疾患の進行を遅らせること、あるいは対象において脳病変の出現を減らすかまたは少なくとも遅延させること、のうちの１つ以上から選択される、請求項１３に記載の医薬組成物。
【請求項１６】
自己免疫疾患の処置のための、リファブチン、クラリスロマイシンおよびクロファジミンからなる抗生物質の組み合わせ剤。
【請求項１７】
各抗生物質が他の抗生物質とは別個の剤型で製剤化される、請求項１６に記載の組み合わせ剤。
【請求項１８】
該抗生物質のうちの２つが単一剤形中に一緒に製剤化されていて、該他の抗生物質が別個の剤形に製剤化されている、請求項１６に記載の組み合わせ剤。
【請求項１９】
該剤型が同時にまたは連続的に投与される、請求項１７または１８に記載の組み合わせ剤。
【請求項２０】
ダプトマイシン、クリンダマイシン、リファンピシン、エリスロマイシン、オレアンドマイシン、ロキシスロマイシン、アジスロマイシン、カナマイシン、ゲンタマイシン、トブラマイシン、ストレプトマイシン、ネオマイシン、パロモマイシン、エタンブトール、イソニアジド、ミノサイクリン、およびテトラサイクリンからなる群から選択される抗生物質をさらに含む、請求項１６〜１９のいずれか１項に記載の組み合わせ剤。
【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
1)式(I)の化合物:
【化１】
2014526508.tif 000001
又はその医薬として許容し得る塩の親水性ポリマー中の分散体;及び2)医薬として許容し得る担体又は賦形剤を含む、経口剤形。
【請求項２】
前記分散体が非晶質固体分散体である、請求項１記載の経口剤形。
【請求項３】
前記非晶質固体分散体が、ホットメルト押出し、凍結乾燥、噴霧乾燥、溶媒キャスティング、又は融液急冷により製造される、請求項２記載の経口剤形。
【請求項４】
前記親水性ポリマーが、ヒドロキシプロピルメチルセルロース、ポリビニルピロリドン、ヒドロキシプロピルセルロース、PVP VA64、ヒドロキシプロピルメチルセルロースアセテートスクシネート、Eudragitポリマー、ポリビニルアセテート、Polyox、Soluplus、又はポリエチレングリコールである、請求項１記載の経口剤形。
【請求項５】
前記親水性ポリマーがヒドロキシプロピルメチルセルロースである、請求項１記載の経口剤形。
【請求項６】
前記担体又は賦形剤が、微結晶性セルロース、マンニトール、ナトリウムクロスカルメロース、ステアリン酸カルシウム、クロスポビドン、ポリビニルアルコール、ステアリン酸マグネシウム、無水ラクトース、二酸化ケイ素、フルクトース、ヒドロキシプロピルメチルセルロース、ポリビニルピロリドン、ヒドロキシプロピルセルロース、及びこれらの組み合わせからなる群から選択される、請求項１記載の経口剤形。
【請求項７】
前記剤形が、約5重量%〜約15重量%の式(I)の化合物からなる、請求項１記載の経口剤形。
【請求項８】
前記剤形が、約5重量%の式(I)の化合物からなる、請求項２記載の経口剤形。
【請求項９】
前記分散体が、約15重量%〜約30重量%の式(I)の化合物及び約75重量%〜約85重量%の親水性ポリマーからなる、請求項２記載の経口剤形。
【請求項１０】
前記分散体が、約15重量%の式(I)の化合物及び約85重量%の親水性ポリマーからなる、請求項２記載の経口剤形。
【請求項１１】
前記剤形が、約33重量%〜約67重量%の前記分散体からなる、請求項１記載の経口剤形。
【請求項１２】
前記剤形が約33重量%の前記分散体からなる、請求項２記載の経口剤形。
【請求項１３】
前記剤形が、一緒に前記分散体を構成する約5重量%の式(I)の化合物及び約28重量%のヒドロキシプロピルメチルセルロース；約24重量%の微結晶性セルロース;約36重量%のマンニトール;約5重量%のクロスカルメロースナトリウム;及び約1重量%のステアリン酸カルシウム又はステアリン酸マグネシウムからなる、請求項１記載の経口剤形。
【請求項１４】
前記分散体が非晶質固体分散体である、請求項１３記載の経口剤形。
【請求項１５】
前記非晶質固体分散体がホットメルト押出しにより製造される、請求項１４記載の経口剤形。
【請求項１６】
約24重量%の微結晶性セルロースの約10重量%が最大圧縮性グレード微結晶性セルロースからなる、請求項１３記載の経口剤形。
【請求項１７】
癌、疼痛、黄斑変性、皮膚疾患、肺疾患、アスベスト関連疾患、寄生虫疾患、免疫不全疾患、CNS疾患、CNS損傷、アテローム性動脈硬化、睡眠障害、異常ヘモグロブリン症、貧血、炎症性疾患、自己免疫疾患、ウイルス性疾患、遺伝性疾患、アレルギー性疾患、細菌性疾患、眼の血管新生病、脈絡膜血管新生病、網膜血管新生病、又はルベオーシスを治療、管理、又は予防するための請求項１記載の経口剤形。
【手続補正書】
【提出日】平成27年8月14日(2015.8.14)
【手続補正１】
【補正対象書類名】特許請求の範囲
【補正対象項目名】全文
【補正方法】変更
【補正の内容】
【特許請求の範囲】
【請求項１】
ブレンドであって、ブレンドの重量に基づき：
Ａ．８０重量％〜１００重量％未満の塩化ビニリデン（ＶＤＣ）共重合体；及び
Ｂ．０重量％超〜１５重量％のポリ（ブチレンサクシネート）（ＰＢＳ）；から本質的になり、
前記ＶＤＣ共重合体が、アクリル酸アルキル、アルキルメタクリレート又はアクリロニトリルモノマーのうちの１つ以上に由来するマーユニットを含み、
前記ＰＢＳが、４０，０００〜１，０００，０００ダルトンの分子量を有する、ブレンド。
【請求項２】
組成物であって、組成物の重量に基づき：
Ａ．８０重量％〜１００重量％未満の塩化ビニリデン（ＶＤＣ共重合体）；
Ｂ．０重量％超〜１５重量％のポリ（ブチレンサクシネート）（ＰＢＳ）；及び
Ｃ．１つ以上の添加剤；を含み、
前記ＶＤＣ共重合体が、アクリル酸アルキル、アルキルメタクリレート又はアクリロニトリルモノマーのうちの１つ以上に由来するマーユニットを含み、
前記ＰＢＳが、４０，０００〜１，０００，０００ダルトンの分子量を有する、組成物。
【請求項３】
前記ＶＤＣ共重合体が、塩化ビニリデンモノマーに由来する７０モル％以上のマーユニットを含む、請求項２に記載の組成物。
【請求項４】
前記ＶＤＣ共重合体が、塩化ビニリデン及びアクリル酸メチルモノマーに由来するマーユニットからなる、請求項３に記載の組成物。
【請求項５】
請求項２〜４のいずれか一項に記載の組成物から製造したフィルム。
【手続補正書】
【提出日】平成27年8月14日(2015.8.14)
【手続補正１】
【補正対象書類名】特許請求の範囲
【補正対象項目名】全文
【補正方法】変更
【補正の内容】
【特許請求の範囲】
【請求項１】
固体添加剤粒子を固体ＶＤＣポリマー粒子と混合するプロセスであって、
Ａ．ＶＤＣモノマーを、随意に１つ又は複数のモノエチレン性不飽和コモノマーと共に、重合帯にて重合条件下で重合して、固体ＶＤＣポリマー粒子を形成するステップ、
Ｂ．前記固体ＶＤＣポリマー粒子の形成後に前記ＶＤＣモノマーの重合を停止させるステップ、及び
Ｃ．（ｉ）前記固体ＶＤＣポリマー粒子を脱水する前に、（ｉｉ）前記固体ＶＤＣポリマー粒子から残留モノマーを除去中、及び／又は除去後に、及び（ｉｉｉ）前記固体添加剤粒子を融解又は軟化するのに十分であるが、前記固体ＶＤＣポリマー粒子を融解又は軟化するには不十分な温度で、接触時に前記融解又は軟化した固体添加剤粒子が前記固体ＶＤＣポリマー粒子と接着するように、前記固体ＶＤＣポリマー粒子を前記固体添加剤粒子と接触させるステップを含むプロセス。
【請求項２】
前記固体添加剤粒子が、残留モノマー除去帯にて、前記固体ＶＤＣポリマー粒子と接触する、請求項１に記載のプロセス。
【請求項３】
ステップＣの接触が、６０〜１２０℃の温度にてである、請求項１に記載のプロセス。
【請求項４】
前記固体添加剤粒子が、前記ＶＤＣポリマー粒子のサイズとほぼ同じであるか、又は前記ＶＤＣポリマー粒子のサイズよりも小さい、請求項２に記載のプロセス。
【請求項５】
前記固体添加剤粒子が、前記固体ＶＤＣ及び固体添加剤粒子の合計重量に基づき０重量％超〜１０重量％未満の量で、前記固体ＶＤＣポリマー粒子と接触する、請求項１に記載のプロセス。
【手続補正２】
【補正対象書類名】明細書
【補正対象項目名】００２８
【補正方法】変更
【補正の内容】
【００２８】
本発明の実施に使用することできる代表的な添加剤には、これらに限定されないが、酸化防止剤、光安定剤、色素、加工助剤、潤滑剤、酸スカベンジャー、及びワックス等が含まれる。そのような添加剤は、既知の量及び既知の様式で使用される。典型的には、添加剤は、組成物の重量に基づき、１０重量％未満、より典型的には５重量％未満、及び更により典型的には３重量％未満の量で使用される。
なお、本発明には、以下に示す実施形態が包含される。
［１］固体添加剤粒子を固体ＶＤＣポリマー粒子と混合するプロセスであって、
Ａ．ＶＤＣモノマーを、随意に１つ又は複数のモノエチレン性不飽和コモノマーと共に、重合帯にて重合条件下で重合して、固体ＶＤＣポリマー粒子を形成するステップ、
Ｂ．前記固体ＶＤＣポリマー粒子の形成後に前記ＶＤＣモノマーの重合を停止させるステップ、及び
Ｃ．（ｉ）前記固体ＶＤＣポリマー粒子を脱水する前に、及び（ｉｉ）前記固体添加剤粒子を融解又は軟化するのに十分であるが、前記固体ＶＤＣポリマー粒子を融解又は軟化するには不十分な温度で、接触時に前記融解又は軟化した固体添加剤粒子が前記固体ＶＤＣポリマー粒子と接着するように、前記固体ＶＤＣポリマー粒子を前記固体添加剤粒子と接触させるステップを含むプロセス。
［２］前記固体添加剤粒子が、前記重合帯にて、前記固体ＶＤＣポリマー粒子と接触する、［１］に記載のプロセス。
［３］前記固体添加剤粒子が、残留モノマー除去帯にて、前記固体ＶＤＣポリマー粒子と接触する、［１］に記載のプロセス。
［４］前記残留モノマー除去帯が、前記重合帯とは別々で、分離している、［３］に記載のプロセス。
［５］前記固体ＶＤＣポリマー粒子が残留モノマーと混合され、前記固体添加剤粒子が、前記固体ＶＤＣポリマー粒子から前記残留モノマーが分離される前に、前記固体ＶＤＣポリマー粒子と接触する、［１］に記載のプロセス。
［６］前記固体ＶＤＣポリマー粒子が残留モノマーと混合され、前記固体添加剤粒子が、前記固体ＶＤＣポリマー粒子から前記残留モノマーが分離されている間に、前記固体ＶＤＣポリマー粒子と接触する、［１］に記載のプロセス。
［７］前記固体ＶＤＣポリマー粒子が残留モノマーと混合され、前記固体添加剤粒子が、前記固体ＶＤＣポリマー粒子から前記残留モノマーが分離された後で、前記固体ＶＤＣポリマー粒子と接触する、［１］に記載のプロセス。
［８］ステップＣの接触が、６０〜１２０℃の温度にてである、［１］〜［７］のいずれか一項に記載のプロセス。
［９］前記固体添加剤粒子が、前記ＶＤＣポリマー粒子のサイズとほぼ同じであるか、又は前記ＶＤＣポリマー粒子のサイズよりも小さい、［８］に記載のプロセス。
［１０］前記固体添加剤粒子が、２つ以上の添加剤の混合物を含む、［９］に記載のプロセス。
［１１］前記固体添加剤粒子が、酸化防止剤、光安定剤、色素、加工助剤、潤滑剤、酸スカベンジャー、及びワックスの少なくとも１つを含む、［１０］に記載のプロセス。
［１２］前記固体添加剤粒子が、前記固体ＶＤＣ及び固体添加剤粒子の合計重量に基づき０重量％超〜１０重量％未満の量で、前記固体ＶＤＣポリマー粒子と接触する、［１１］に記載のプロセス。
【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2014526571.tif 000001
式中、Ｒはメチルまたはエチルである、
の化合物。
【請求項２】
式（Ｉ）
【化２】
2014526571.tif 000002
式中、Ｒはメチルまたはエチルである、
の化合物のフレーバーまたはフレグランス成分としての使用。
【請求項３】
式（Ｉ）
【化３】
2014526571.tif 000003
式中、Ｒはメチルまたはエチルである、
の化合物を含む、フレグランス組成物または芳香製品。
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
高分子量ポリカルボジイミドの製造方法であって、
トルエンジイソシアネート（ＴＤＩ）を提供する工程；
カルボジイミド化触媒を提供する工程；
第一の溶媒としてトルエンを提供する工程；
少なくとも１種のカルボジイミド化合物及び第一の溶媒を含む反応混合物を生成するために、第一の溶媒中、カルボジイミド化触媒の存在下で第一の期間にわたりトルエンジイソシアネートを重合する工程；
第二の溶媒としてテトラヒドロフランと、反応混合物とを組み合わせる工程；及び
高分子量ポリカルボジイミドを生成するために、第一及び第二の溶媒中、カルボジイミド化触媒の存在下で第二の期間にわたって少なくとも１種のカルボジイミド化合物を重合する工程
を含む、前記製造方法。
【請求項２】
高分子量ポリカルボジイミドが、蒸発光散乱を用いて測定された少なくとも１００，０００の質量平均分子量を有する０より大きなモル分率を有する、請求項１に記載の方法。
【請求項３】
高分子量ポリカルボジイミドが、蒸発光散乱を用いて測定された少なくとも５００，０００の質量平均分子量を有する０より大きなモル分率を有する、請求項１又は２に記載の方法。
【請求項４】
請求項１から３までのいずれか１項に記載の方法によって形成される高分子量ポリカルボジイミド。
【請求項５】
ＤＩＮ５３５０４Ｓ２に従って測定された、少なくとも約３．９×１０３ｐｓｉの引張強度；
ＤＩＮ５３５０４Ｓ２に従って測定された、少なくとも約５．８％の破断点伸び；
約２００℃を上回る溶融温度；及び／又は
約５０℃〜約１５５℃のガラス転移温度
を有する、請求項４に記載の高分子量ポリカルボジイミド。
【請求項６】
請求項４又は５に記載の高分子量ポリカルボジイミドを、電子用途に、自動車用途に、又は合成繊維として用いる使用。
【請求項７】
高分子量ポリカルボジイミドが、蒸発光散乱を用いて測定された少なくとも１，０００，０００の質量平均分子量を有する０より大きなモル分率を有する、請求項１に記載の方法。
【請求項８】
高分子量ポリカルボジイミドが、蒸発光散乱を用いて測定された少なくとも１，０００，０００の質量平均分子量を有する３より大きなモル分率を有する、請求項１に記載の方法。
【請求項９】
高分子量ポリカルボジイミドが、蒸発光散乱を用いて測定された少なくとも５００，０００の質量平均分子量を有する１０より大きなモル分率を有する、請求項８に記載の方法。
【請求項１０】
高分子量ポリカルボジイミドが、蒸発光散乱を用いて測定された少なくとも２５０，０００の質量平均分子量を有する１５より大きなモル分率を有する、請求項９に記載の方法。
【請求項１１】
高分子量ポリカルボジイミドが、蒸発光散乱を用いて測定された少なくとも５００，０００の質量平均分子量を有する１０より大きなモル分率を有する、請求項１に記載の方法。
【請求項１２】
高分子量ポリカルボジイミドが、蒸発光散乱を用いて測定された少なくとも２５０，０００の質量平均分子量を有する０より大きなモル分率を有する、請求項１に記載の方法。
【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
HDACインヒビターの治療的有効量及びDNA脱メチル化剤の治療的有効量を、そのような治療を必要とする患者へ投与することを含む、化学療法抵抗性癌を治療する方法。
【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
リンパ腫を治療する方法であって、こうした治療を必要とする患者に、治療有効量のHDAC阻害剤と治療有効量のDNA脱メチル化剤とを投与することを含む前記方法。
【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
式Ｉ：
【化１】
2014526554.tif 000001
［式中：
ａは、１〜４であり；
Ｘは、−Ｏであり；
Ｒ１は、−Ｃ（Ｏ）ＣＨ２Ｃ（ＣＨ３）２ＣＯＯＨ、−Ｃ（Ｏ）Ｃ（ＣＨ３）２ＣＨ２ＣＯＯＨまたは−Ｃ（Ｏ）ＣＨ２Ｃ（ＣＨ３）２ＣＨ２ＣＯＯＨであり；
Ｒ２は、−Ｈ、メチル、イソプロペニルおよびイソプロピルからなる群から選択され；
Ｒ３およびＲ４は、独立して、−Ｈ、−Ｃ１−６アルキル、−Ｃ１−６アルキル置換されたアルキルおよび−Ｃ３−６シクロアルキルからなる群から選択されるか；
または、Ｒ３およびＲ４は、隣接したＮと一緒になって、
【化２】
2014526554.tif 000002
からなる群から選択される環を形成し；
Ｒ５は、独立して、−Ｈまたは−Ｃ１−６アルキルであり；
Ｒ６は、−ＳＯ２Ｒ７、−ＳＯ２ＮＲ８Ｒ９からなる群から選択され、
Ｒ７は、−Ｃ１−６アルキル、−Ｃ１−６アルキル置換されたアルキル、−Ｃ３−６シクロアルキルおよびアリールからなる群から選択され；および
Ｒ８およびＲ９は、独立して、−Ｈ、−Ｃ１−６アルキルおよび−Ｃ１−６アルキル置換されたアルキルからなる群から選択される］
で示される化合物（その医薬上許容される塩を含む）。
【請求項２】
ａが１である、請求項１記載の化合物。
【請求項３】
Ｒ１が−Ｃ（Ｏ）ＣＨ２Ｃ（ＣＨ３）２ＣＯＯＨである、請求項１記載の化合物。
【請求項４】
Ｒ１が−Ｃ（Ｏ）ＣＨ２Ｃ（ＣＨ３）２ＣＯＯＨである、請求項２記載の化合物。
【請求項５】
【化３】
2014526554.tif 000003
である、化合物（その医薬上許容される塩を含む）。
【請求項６】
【化４−１】
2014526554.tif 000004
【化４−２】
2014526554.tif 000005
から選択される化合物（その医薬上許容される塩を含む）。
【請求項７】
抗ウイルス有効量の１種またはそれ以上の請求項１記載の化合物と１種またはそれ以上の医薬上許容される担体、賦形剤または希釈剤とを一緒に含む、医薬組成物。
【請求項８】
抗ウイルス有効量の１種またはそれ以上の請求項５記載の化合物と１種またはそれ以上の医薬上許容される担体、賦形剤または希釈剤とを一緒に含む、医薬組成物。
【請求項９】
抗ウイルス有効量の１種またはそれ以上の請求項６記載の化合物と１種またはそれ以上の医薬上許容される担体、賦形剤または希釈剤とを一緒に含む、医薬組成物。
【請求項１０】
抗ウイルス有効量の、（ａ）ＡＩＤＳ抗ウイルス剤；（ｂ）抗感染症剤；（ｃ）免疫調節剤；および（ｄ）別のＨＩＶ侵入阻害剤からなる群から選択されるＡＩＤＳ治療剤をさらに含む、ＨＩＶ感染症を治療するのに有用な請求項７〜９のいずれか一項に記載の医薬組成物。
【請求項１１】
請求項１記載の化合物および１種またはそれ以上の医薬上許容される担体、賦形剤または希釈剤を含む、ＨＩＶウイルス感染症の治療剤。
【請求項１２】
請求項５記載の化合物および１種またはそれ以上の医薬上許容される担体、賦形剤または希釈剤を含む、ＨＩＶウイルス感染症の治療剤。
【請求項１３】
請求項６記載の化合物および１種またはそれ以上の医薬上許容される担体、賦形剤または希釈剤を含む、ＨＩＶウイルス感染症の治療剤。
【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
人対象における悪液質を治療するための医薬組成物であって、薬学的に許容し得る担体と前記対象における悪液質の少なくとも１つの症状を低減するために有効な抗−ＩＬ−１α  Ａｂの量を含むことを特徴とする医薬組成物。
【請求項２】
請求項１に記載の医薬組成物において、前記抗−ＩＬ−１α  ＡｂがｍＡｂであることを特徴とする医薬組成物。
【請求項３】
請求項２に記載の医薬組成物において、前記ｍＡｂがＩｇＧ１であることを特徴とする医薬組成物。
【請求項４】
請求項２に記載の医薬組成物において、前記ｍＡｂが、ＭＡＢｐ１の相補性決定領域を含むことを特徴とする医薬組成物。
【請求項５】
請求項２に記載の医薬組成物において、前記ｍＡｂがＭＡＢｐ１であることを特徴とする医薬組成物。
【請求項６】
請求項１に記載の医薬組成物において、前記対象の除脂肪体重を増加させる効能を有することを特徴とする医薬組成物。
【請求項７】
請求項１に記載の医薬組成物において、前記対象の体重を増加させる効能を有することを特徴とする医薬組成物。
【請求項８】
請求項１に記載の医薬組成物において、前記対象の食欲を改善する効能を有することを特徴とする医薬組成物。
【請求項９】
請求項１に記載の医薬組成物において、末期癌を有する人を対象とすることを特徴とする医薬組成物。
【請求項１０】
請求項１に記載の医薬組成物において、前記対象の筋肉量を増加させる効能を有することを特徴とする医薬組成物。
【請求項１１】
請求項１に記載の医薬組成物において、前記対象の除脂肪体重を増加させる効能を有することを特徴とする医薬組成物。
【請求項１２】
悪液質を有する哺乳動物対象における寿命を延ばすための医薬組成物であって、薬学的に許容し得る担体と、前記対象の前記予測された寿命に比較して少なくとも１０％まで前記対象の前記寿命を延ばすために有効な抗−ＩＬ−１α  Ａｂの量を含むことを特徴とする医薬組成物。
【請求項１３】
請求項１２に記載の医薬組成物において、前記抗−ＩＬ−１α  ＡｂがｍＡｂであることを特徴とする医薬組成物。
【請求項１４】
請求項１３に記載の医薬組成物において、前記ｍＡｂが、ＭＡＢｐ１であることを特徴とする医薬組成物。
【請求項１５】
請求項１２に記載の医薬組成物において、末期癌を有する人を対象とすることを特徴とする医薬組成物。
【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
千鳥配置された複数の光方向転換機構を備える第１の主面と、
千鳥配置された複数のマイクロレンズを備える反対側の第２の主面と、を備える単一基材であって、
前記光方向転換機構のそれぞれが、異なるマイクロレンズに対応しており、
光導波路からの光を受光するための入射面と、
受光した光を対応するマイクロレンズへ方向転換させて前記単一基材を透過させるための光方向転換面と、を備え、前記光方向転換面が前記入射面と斜角を形成しており、
前記単一基材、前記複数のマイクロレンズ、及び前記光方向転換機構が単一構造物を形成している、単一基材。
【請求項２】
列内の前記光方向転換機構が前記列に沿って離間しており、間隔が、光を別の列内の光指向機構につなぐ光導波路を受容するように構成されている、請求項１に記載の単一基材。
【請求項３】
前記マイクロレンズの径が、隣り合う光ファイバー間の離隔距離よりも大きい、請求項１に記載の単一基材。
【請求項４】
第１の列に沿って配設されており、第１の複数の光ファイバーから出射する光を方向転換させるように構成されている、複数の離間した個別の光方向転換機構と、第２の複数の光ファイバーから出射する光を方向転換させるように構成されている、前記第１の列から離間した連続的な光方向転換機構と、を備える第１の主面であって、前記第１の列内の複数の離間した個別の光方向転換機構の各間隔が、前記第２の複数の光ファイバーとは異なる対応する光ファイバーを受容するように構成されている、第１の主面と、
前記第１の主面の反対側にある第２の主面であって、マイクロレンズの第１及び第２の列を形成する千鳥配置された複数のマイクロレンズを備え、前記第１の列内の各マイクロレンズが、離間した個別の光方向転換機構の前記第１の列内の対応する異なる個別の光方向転換機構によって方向転換された光を受光するように構成されており、前記第２の列内の各マイクロレンズが、前記連続的な光方向転換機構から方向転換された光を受光するように構成されている、第２の主面と、を備える単一基材であって、
前記単一基材、前記複数の離間した個別の光方向転換機構、前記連続的な光方向転換機構、及び前記千鳥配置された複数のマイクロレンズが単一構造物を形成している、単一基材。
【請求項５】
第１の床面を備える第１の主面と、
前記第１の床面に形成されており、第１の踏面を備える少なくとも第１の段を備える、第１の階段と、
前記第１の床面に配設されており、光方向転換機構の列を形成する千鳥配置された第１の複数の光方向転換機構と、
前記第１の階段の前記第１の踏面に配設されており、光方向転換機構の列を形成する千鳥配置された第２の複数の光方向転換機構と、
前記第１の主面の反対側にあり、第２の床面を備える第２の主面と、
前記第２の床面に形成されており、第１の踏面を備える少なくとも第１の段を備える、第２の階段と、
前記第２の床面に配設されており、マイクロレンズの列を形成しており、前記マイクロレンズのそれぞれが、前記第１の床にある異なる光方向転換機構に対応している、千鳥配置された第１の複数のマイクロレンズと、
前記第２の階段の前記第１の踏面に配設されており、マイクロレンズの列を形成しており、前記マイクロレンズのそれぞれが、前記第１の階段の前記第１の踏面にある異なる光方向転換機構に対応している、千鳥配置された第２の複数のマイクロレンズと、を備える単一基材であって、
前記単一基材、前記第１の階段、前記第２の階段、前記光方向転換機構、及び前記マイクロレンズが単一構造物を形成している、単一基材。
【請求項６】
前記光方向転換機構のそれぞれが、光ファイバーからの光を受光するための入射面と、受光した光を対応するマイクロレンズへと方向転換させて前記単一基材を透過させるための光方向転換面と、を備え、前記光方向転換面が前記入射面と斜角を形成している、請求項５に記載の単一基材。
【請求項７】
単一基材であって、
千鳥配置された複数の光方向転換機構を備える第１の主面であり、前記光方向転換機構のそれぞれが、
光導波路からの光を受光するための入射面と、
受光した光を視準光又は集束光として方向転換させて前記単一基材を透過させるための、成形反射体を備える光方向転換面と、を備える、
第１の主面と、
反対側の第２の主面と、を備え、
前記単一基材、及び前記複数の光方向転換機構が単一構造物を形成している、単一基材。
【請求項８】
前記反対側の第２の主面が、前記千鳥配置された光方向転換機構と位置合わせされており、前記光方向転換機構に対応している、千鳥配置された複数のマイクロレンズを備える、請求項７に記載の単一基材。
【請求項９】
第１の床面を備える第１の主面と、
前記第１の床面に形成されており、第１の踏面を備える少なくとも第１の段を備える、第１の階段と、
前記第１の床面に配設されており、第１の導波路アライメント機構が、第１の複数の光方向転換機構に光を入射させるように第１の複数の光導波路を位置付けることができる、第１の複数の光方向転換機構及び第１の導波路アライメント機構と、
前記第１の階段の前記第１の踏面に配設されており、第２の導波路アライメント機構が、第２の複数の光方向転換機構に光を入射させるように第２の複数の光導波路を位置付けることができる、第２の複数の光方向転換機構及び第２の導波路アライメント機構と、
前記第１の主面の反対側にあり、第２の床面を備える第２の主面と、
前記第２の床面に形成されており、第１の踏面を備える少なくとも第１の段を備える、第２の階段と、
前記第２の床面に配設されており、マイクロレンズのそれぞれが、前記第１の床にある異なる光方向転換機構に対応している、第１の複数のマイクロレンズと、
前記第２の階段の前記第１の踏面に配設されており、マイクロレンズのそれぞれが、前記第１の階段の前記第１の踏面にある異なる光方向転換機構に対応している、第２の複数のマイクロレンズと、を備える単一基材であって、
前記単一基材、前記第１の階段、前記第２の階段、前記光方向転換機構、及び前記マイクロレンズが単一構造物を形成している、単一基材。
【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
複数の導波路アライメント特徴部を備える第１の主面、及び、
互いに対して千鳥状の複数のマイクロレンズを備える、反対側の第２の主面、を備える光透過性基板と、
前記第１の主面に隣接して配設された傾斜劈開端面を備える複数の光導波路と、
を備える、光学構造物であって、
前記傾斜劈開端面が互いに対して千鳥状であり、前記複数の光導波路のうちの各光導波路の前記傾斜劈開端面が、異なるマイクロレンズに対応すると共に、前記傾斜劈開端面によって、各光導波路から出射する光が前記基板を透過して前記対応するマイクロレンズへと方向付けられるように配向されている、光学構造物。
【請求項２】
前記千鳥状のマイクロレンズが離間した第１のマイクロレンズ列及び第２のマイクロレンズ列を形成し、前記千鳥状の傾斜劈開端面が離間した第１の傾斜劈開端面列及び第２の傾斜劈開端面列を形成する、請求項１に記載の光学構造物。
【請求項３】
第１の複数の導波路アライメント特徴部を備える第１の主面と、
前記第１の主面に隣接して配設された、互いに対して千鳥状である傾斜劈開端面を備える第１の複数の光導波路と、
前記第１の主面と反対側にあり、第２の複数の導波路アライメント特徴部を備える第２の主面と、
前記第２の主面に隣接して配設された、互いに対して千鳥状である傾斜劈開端面を備える第２の複数の光導波路と、を備える、光学構造物であって、
前記第１の複数の光導波路の各光導波路が、前記第２の複数の光導波路の異なる光導波路に対応し、前記対応する光導波路の傾斜劈開面が、ある光導波路から出射する光が対応する前記光導波路に入射するように配向される、光学構造物。
【請求項４】
対応する光導波路が、前記対応する光導波路の前記傾斜劈開端面間で光を方向付けるために、１つ以上の対応するマイクロレンズに関連付けられる、請求項３に記載の光学構造物。
【請求項５】
第１の床面を備える第１の主面、
前記第１の床面に形成され、第１の踏面を備える少なくとも第１の段を備える第１の階段、
前記第１の主面の反対側にあり、第２の床面を備える第２の主面、
前記第２の床面に形成され、第１の踏面を備える少なくとも第１の段を備える第２の階段、
前記第２の床面に配設され、マイクロレンズ列を形成する第１の複数の千鳥状のマイクロレンズ、及び、
前記第２の階段の前記第１の踏面に配設され、マイクロレンズ列を形成する第２の複数の千鳥状のマイクロレンズを備える光透過性基板であって、前記基板、前記第１の階段、前記第２の階段、及び前記マイクロレンズが単一構造物を形成する、光透過性基板と、
前記第１の床面に配設された、互いに対して千鳥状である傾斜劈開端面を備える第１の複数の光導波路と、
前記第１の階段の前記第１の踏面に配設された、互いに対して千鳥状である傾斜劈開端面を備える第２の複数の光導波路と、を備える、光学構造物であって、
前記第１及び第２の複数の光導波路のうちの光導波路の傾斜劈開端面のそれぞれが、前記傾斜劈開端面によって、各光導波路から出射する光が前記基板を透過して対応するマイクロレンズへと方向付けられるように、異なるマイクロレンズに対応する、光学構造物。
【請求項６】
前記光導波路の傾斜劈開端面のそれぞれと対応する前記マイクロレンズとの離隔距離が一定である、請求項５に記載の光学構造物。
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
話者の発音の正確性を訓練し、向上させるための口腔内生体フィードバックシステムであって、
少なくとも１つの標的音の正確な発音のための前記話者の舌の正確な位置を示す触覚フィードバックを前記話者に提供するための１つ以上の節点を有する頭部と、前記話者の口腔内で前記１つ以上の節点を保持し、位置付けるためのハンドルとを備える、少なくとも１つの音訓練装置と、
前記少なくとも１つの標的音の構音のための適切な舌の位置に対応する各標的のまたはその近くの少なくとも１つのセンサーであって、前記話者の口腔内への装置の挿入が、意図された標的にまたはその近くに前記少なくとも１つのセンサーを自動的に設置するように、各装置上の少なくとも１つの節点にまたはその近くに提供される、少なくとも１つのセンサーと、を備え、
前記少なくとも１つのセンサーが、前記舌が前記意図された標的と接触するとき、前記少なくとも１つの標的音の発音の正確性を検出し、
前記少なくとも１つの音訓練装置が１つ以上のコンピューティング装置と通信するネットワークに接続された音訓練装置であり、前記１つ以上のコンピューティング装置がその上で少なくとも１つの発音評価アプリケーションを実行する、口腔内生体フィードバックシステム。
【請求項２】
前記システムが、前記少なくとも１つのネットワークに接続された音訓練装置と通信するサーバをさらに備え、前記サーバは、
ネットワークインターフェースによりネットワークを介して前記システムにアクセスすることと、
前記話者の舌が前記意図された標的と接触するとき、前記少なくとも１つの標的音の発音の正確性を検出する前記少なくとも１つのセンサーから情報を得ることと、を含む、動作を行うよう構成される、請求項１に記載のシステム。
【請求項３】
前記ネットワークインターフェースが、
前記ネットワークを介して通信すること、
前記少なくとも１つの音訓練装置と前記１つ以上のコンピューティング装置との間の通信を促進すること、および
前記話者の発音の正確性の１つ以上の表示を作成すること、
のうちの少なくとも１つを行うよう構成される、請求項２に記載のシステム。
【請求項４】
前記サーバが、
前記ネットワークを介して社会的ネットワーキングシステムにアクセスすること、
意図された標的音について作成され得るセンサー出力プロファイルのデータベースを構築し、それにアクセスすること、および
前記データベースに保存するために、話者プロファイルデータ、および１つ以上の一般的な診断試験に対応するデータのうちの少なくとも１つをアップロードすること、
のうちの少なくとも１つを含む動作を行うよう構成される、請求項３に記載のシステム。
【請求項５】
サンプル音を前記プロファイルのデータベースと比較すること、
前記発音の正確性を決定すること、および
使用者に最新の話者プロファイルデータ、ならびに１つ以上の診断および練習実習に対応する最新のデータを通知する、通知を作成すること、
のうちの少なくとも１つを行うよう構成される、エンジンをさらに備える、請求項４に記載のシステム。
【請求項６】
前記少なくとも１つのセンサーが、光学センサー、力感知抵抗器、架橋センサー、容量センサー、歪み計センサー、センサー配列、ならびにそれらの任意の均等物および組み合わせのうちの１つ以上を含む、請求項１に記載のシステム。
【請求項７】
前記少なくとも１つの音訓練装置は、話者の発音の正確性を訓練し、向上させるための助けとなる音声フィードバックを提供する、請求項１に記載のシステム。
【請求項８】
前記少なくとも１つの音訓練装置は、調音実習のために様々な種類の単語を作成し、前記様々な種類の単語は、標的音を様々な単語の位置で有する、請求項１に記載のシステム。
【請求項９】
構音中にある人に、話者の発音の正確性を訓練し、向上させるための、話者の構音中の発音を示す口腔内フィードバックを提供するためのキットであって、
音訓練装置のための１つ以上の頭部であって、前記各頭部が、少なくとも１つの標的音の正確な発音のための前記話者の舌の正確な位置を示す触覚フィードバックを前記話者に提供するための１つ以上の節点を有し、前記話者の口腔内への装置の挿入が前記少なくとも１つの標的音の構音のための適切な舌の位置に対応する意図された標的にまたはその近くに少なくとも１つのセンサーを自動的に設置するように、前記少なくとも１つのセンサーが各１つの節点装置にまたはその近くに提供される、１つ以上の頭部と、
前記話者の口腔内で前記１つ以上の節点を保持し、位置付けるための、前記音訓練装置のための１つ以上のハンドルと、
を備え、
前記少なくとも１つのセンサーが、前記舌が前記意図された標的と接触するとき、前記少なくとも１つの標的音の発音の正確性を検出し、
前記少なくとも１つの音訓練装置が１つ以上のコンピューティング装置と通信するネットワークに接続された音訓練装置であり、前記１つ以上のコンピューティング装置がその上で少なくとも１つの発音評価アプリケーションを実行する、
キット。
【請求項１０】
前記頭部が、前記話者への触覚フィードバックを通して少なくとも１つの標的音を訓練するための、前記話者の舌の適切な位置付けのために、前記話者の舌が前記話者の口腔内の１つ以上の標的と接触するとき、前記様々な標的音の発音の正確性を検出するように、前記ハンドルと選択的に交換可能であり、前記位置を特定することが訓練される前記標的音により、前記標的音が、
【表３】
2014526714.tif 000001
から選択される、請求項１０に記載のキット。
【請求項１１】
コンピューティング装置上にロード可能な１つ以上の双方向性ソフトウェアアプリケーションをさらに備える、請求項１０に記載のキット。
【請求項１２】
前記話者に社会的ネットワークを介して他人と協同するためのインターフェースを提供する、プラットホームにアクセスするための教示を含む、前記ソフトウェアアプリケーションの使用のための教示をさらに備える、請求項１１に記載のキット。
【請求項１３】
携帯機器をさらに備え、前記携帯機器がその上に事前にロードされた前記ソフトウェアアプリケーションを有する、請求項１１に記載のキット。
【請求項１４】
前記話者の口腔内のある場所への前記少なくとも１つの音訓練装置の位置付けのための１つ以上の位置合わせ機能をさらに備え、前記話者の舌が前記口腔を自由に進み、前記少なくとも１つの標的音を構音するために前記１つ以上の節点と接触する、請求項１０に記載のキット。
【請求項１５】
前記少なくとも１つの音訓練装置は、話者の発音の正確性を訓練し、向上させるための助けとなる音声フィードバックを提供する、請求項９に記載のキット。
【請求項１６】
前記少なくとも１つの音訓練装置は、調音実習のために様々な種類の単語を作成し、前記様々な種類の単語は、標的音を様々な単語の位置で有する、請求項９に記載のキット。